(57)【要約】【課題】複数の遊技種の持玉を貯玉に移行する処理を効率的に実行すること。【解決手段】複数レートの持玉口座を有する状態で台間カード処理機１０が貯玉移行操作を受け付けた場合に、台間カード処理機１０が貯玉に抗すべき各レートの持玉口座残高を含む貯玉移行要求をカード管理装置４０に送信し、カード管理装置４０は、貯玉口座を管理する会員管理装置５０に対し、各レートの持玉口座残高を対応する貯玉口座の残高に加算する処理を順次行なうよう構成したので、複数レートの持玉口座を貯玉口座に移行する処理を効率的に行なうことができる。さらに、複数レートの移行処理時にエラーが発生した場合にも、混乱の発生を抑制することができる。【選択図】図１
2014008326.tif 000002
【特許請求の範囲】
【請求項１】
遊技客が獲得した遊技媒体の数を所定の期限内に限り使用可能な持遊技媒体数として保持する持遊技媒体口座と、前記遊技客が獲得した遊技媒体の数を前記所定の期限を超えて使用可能な貯遊技媒体数として保持する貯遊技媒体口座とを管理する遊技媒体口座管理システムであって、
所定の記憶媒体に関連付けられた持遊技媒体口座の残高について、貯遊技媒体口座の残高への移行を求める移行要求を受け付ける受付手段と、
前記所定の記憶媒体に複数の遊技種の持遊技媒体口座が関連付けられている場合に、前記複数の遊技種の持遊技媒体口座の残高を各々対応する遊技種の貯遊技媒体口座の残高に加算して残高の移行処理を行なう移行処理手段と
を備えたことを特徴とする遊技媒体口座管理システム。
【請求項２】
前記移行処理手段は、前記複数の遊技種の持遊技媒体口座の残高について、遊技種毎に順次移行処理することを特徴とする請求項１に記載の遊技媒体口座管理システム。
【請求項３】
前記所定の記憶媒体に関連付けられた複数の遊技種のうち、前記移行処理の対象とする遊技種を選択する移行対象遊技種選択手段をさらに備え、
前記移行処理手段は、前記移行対象遊技種選択手段により選択された遊技種について前記移行処理を行なうことを特徴とする請求項１又は２に記載の遊技媒体口座管理システム。
【請求項４】
前記移行処理手段は、前記遊技種毎に順次移行処理する際に、いずれかの遊技種で異常が発生した場合にエラー処理を行なうことを特徴とする請求項２又は３に記載の遊技媒体口座管理システム。
【請求項５】
前記移行処理手段は、前記移行処理において発生した異常の種別に応じて異なるエラー処理を行なうことを特徴とする請求項４に記載の遊技媒体口座管理システム。
【請求項６】
前記移行処理手段は、いずれかの遊技種で前記移行処理が未完了となる異常が発生した場合には、当該移行処理が未完了となった持遊技媒体口座の残高を移行処理前の値とし、移行処理が完了した持遊技媒体口座の残高をゼロとすることを特徴とする請求項５に記載の遊技媒体口座管理システム。
【請求項７】
前記移行処理手段は、いずれかの遊技種で前記移行処理が完了したか否かが不明となる異常が発生した場合には、前記移行処理の対象となった全ての遊技種の持遊技媒体口座の残高をゼロとしてエラー報知を行なうことを特徴とする請求項５又は６に記載の遊技媒体口座管理システム。
【請求項８】
遊技機に対応付けて配設され、前記持遊技媒体口座の残高を前記遊技機による遊技に供する台間装置をさらに備え、
前記台間装置は、前記移行処理手段によりいずれかの遊技種で前記移行処理が完了したか否かが不明となる異常が発生したことを示すエラー報知が行われた場合に、自装置が管理する遊技種の持遊技媒体口座の残高について最新の値を出力することを特徴とする請求項７に記載の遊技媒体口座管理システム。
【請求項９】
遊技客が獲得した遊技媒体の数を所定の期限内に限り使用可能な持遊技媒体数として保持する持遊技媒体口座と、前記遊技客が獲得した遊技媒体の数を前記所定の期限を超えて使用可能な貯遊技媒体数として保持する貯遊技媒体口座とを管理する遊技媒体口座管理方法であって、
所定の記憶媒体に関連付けられた持遊技媒体口座の残高について、貯遊技媒体口座の残高への移行を求める移行要求を受け付ける受付工程と、
前記所定の記憶媒体に複数の遊技種の持遊技媒体口座が関連付けられている場合に、前記複数の遊技種の持遊技媒体口座の残高を各々対応する遊技種の貯遊技媒体口座の残高に加算して残高の移行処理を行なう移行処理工程と
を含んだことを特徴とする遊技媒体口座管理方法。
【発明の詳細な説明】
【技術分野】
【０００１】
この発明は、持遊技媒体口座と貯遊技媒体口座とを管理する遊技媒体口座管理システム及び遊技媒体口座管理方法に関する。
【背景技術】
【０００２】
従来、パチンコ店等の遊技店では、遊技客を識別する識別情報に関連付けて遊技客に関する各種情報を管理し、遊技客に対する様々なサービスを行なっている。例えば、特許文献１は、遊技店に会員登録した遊技客の会員ＩＤに対応付けて遊技媒体数を管理し、該遊技媒体数を翌日以降も遊技や景品交換に使用可能とする貯玉サービスを提供する貯玉管理装置を開示している。
【０００３】
遊技客は、遊技において獲得した遊技媒体数である持玉を上述の貯玉管理装置に登録することで、持玉を貯玉に移行させることができる。持玉は、所定の期限内（例えば当日の閉店時間まで）のみ遊技や景品交換に使用可能であるが、貯玉に移行させることにより所定の期限を超えて使用できることとなる。
【先行技術文献】
【特許文献】
【０００４】
【特許文献１】特開２０１１−２１７８４６号公報
【発明の概要】
【発明が解決しようとする課題】
【０００５】
しかしながら、従来の貯玉サービスでは、単一のレートを想定して持玉から貯玉への移行をおこなっており、複数のレートの持玉を貯玉に移行させる場合には遊技客と遊技店員の労力が大きくなるという問題点があった。
【０００６】
ここで、この問題点について具体的に説明する。従来の遊技店では、一律のレート（例えば１玉４円）で遊技客に遊技玉を貸し出すのが一般的であったが、最近になって、複数のレートを採用する遊技店が増加している。
【０００７】
このため、持玉を関連付けて管理するためのカードについても、従来は単一のレートの持玉のみを関連付け可能なカードが用いられていたが、複数のレートの持玉を関連付け可能な多レートカードへの切り替えが進められている。
【０００８】
多レート対応カードを用いれば、遊技客は、レートの異なる遊技機により獲得した獲得遊技媒体を各レートの持玉として一括して管理可能となり、持玉の管理については利便性が向上する。ところが、各レートの持玉を貯玉に移行しようとすると、各レートに対応するエリアに順次移動しつつ、１レートずつ貯玉に移行するか、景品交換カウンタに移動して貯玉への移行を行なわなくてはならない。各レートに対応するエリアに順次移動しつつ、１レートずつ貯玉に移行するのは、遊技客にとって大きな負担となる。また、景品交換カウンタでは、遊技店員による対応となるため、遊技店員の負担が大きくなる。さらに、景品交換カウンタが混雑し、遊技客に対するサービスの低下を引き起こす。
【０００９】
このため、複数のレートの持玉を貯玉に移行する処理を如何に効率化し、遊技客と遊技店員の労力を軽減するかが重要な課題となっている。なお、かかる課題は、遊技媒体を貸し出す際のレート（貸出レート）が異なる場合に限らず、遊技媒体を景品に交換する際のレート（交換レート）や、遊技媒体の種類が異なるなど、個別に管理される複数の遊技種を同一店内で取り扱う際にも同様に発生する。
【００１０】
本発明は、上述した従来技術の課題を解消するためになされたものであって、複数の遊技種の持玉を貯玉に移行する処理を効率的に実行可能な遊技媒体口座管理システム及び遊技媒体口座管理方法を提供することを目的とする。
【課題を解決するための手段】
【００１１】
上述した課題を解決し、目的を達成するため、本発明は、遊技客が獲得した遊技媒体の数を所定の期限内に限り使用可能な持遊技媒体数として保持する持遊技媒体口座と、前記遊技客が獲得した遊技媒体の数を前記所定の期限を超えて使用可能な貯遊技媒体数として保持する貯遊技媒体口座とを管理する遊技媒体口座管理システムであって、所定の記憶媒体に関連付けられた持遊技媒体口座の残高について、貯遊技媒体口座の残高への移行を求める移行要求を受け付ける受付手段と、前記所定の記憶媒体に複数の遊技種の持遊技媒体口座が関連付けられている場合に、前記複数の遊技種の持遊技媒体口座の残高を各々対応する遊技種の貯遊技媒体口座の残高に加算して残高の移行処理を行なう移行処理手段とを備えたことを特徴とする。
【００１２】
また、本発明は、上記発明において、前記移行処理手段は、前記複数の遊技種の持遊技媒体口座の残高について、遊技種毎に順次移行処理することを特徴とする。
【００１３】
また、本発明は、上記発明において、前記所定の記憶媒体に関連付けられた複数の遊技種のうち、前記移行処理の対象とする遊技種を選択する移行対象遊技種選択手段をさらに備え、前記移行処理手段は、前記移行対象遊技種選択手段により選択された遊技種について前記移行処理を行なうことを特徴とする。
【００１４】
また、本発明は、上記発明において、前記移行処理手段は、前記遊技種毎に順次移行処理する際に、いずれかの遊技種で異常が発生した場合にエラー処理を行なうことを特徴とする。
【００１５】
また、本発明は、上記発明において、前記移行処理手段は、前記移行処理において発生した異常の種別に応じて異なるエラー処理を行なうことを特徴とする。
【００１６】
また、本発明は、上記発明において、前記移行処理手段は、いずれかの遊技種で前記移行処理が未完了となる異常が発生した場合には、当該移行処理が未完了となった持遊技媒体口座の残高を移行処理前の値とし、移行処理が完了した持遊技媒体口座の残高をゼロとすることを特徴とする。
【００１７】
また、本発明は、上記発明において、前記移行処理手段は、いずれかの遊技種で前記移行処理が完了したか否かが不明となる異常が発生した場合には、前記移行処理の対象となった全ての遊技種の持遊技媒体口座の残高をゼロとしてエラー報知を行なうことを特徴とする。
【００１８】
また、本発明は、上記発明において、遊技機に対応付けて配設され、前記持遊技媒体口座の残高を前記遊技機による遊技に供する台間装置をさらに備え、前記台間装置は、前記移行処理手段によりいずれかの遊技種で前記移行処理が完了したか否かが不明となる異常が発生したことを示すエラー報知が行われた場合に、自装置が管理する遊技種の持遊技媒体口座の残高について最新の値を出力することを特徴とする。
【００１９】
また、本発明は、遊技客が獲得した遊技媒体の数を所定の期限内に限り使用可能な持遊技媒体数として保持する持遊技媒体口座と、前記遊技客が獲得した遊技媒体の数を前記所定の期限を超えて使用可能な貯遊技媒体数として保持する貯遊技媒体口座とを管理する遊技媒体口座管理方法であって、所定の記憶媒体に関連付けられた持遊技媒体口座の残高について、貯遊技媒体口座の残高への移行を求める移行要求を受け付ける受付工程と、前記所定の記憶媒体に複数の遊技種の持遊技媒体口座が関連付けられている場合に、前記複数の遊技種の持遊技媒体口座の残高を各々対応する遊技種の貯遊技媒体口座の残高に加算して残高の移行処理を行なう移行処理工程とを含んだことを特徴とする。
【発明の効果】
【００２０】
本発明によれば、所定の記憶媒体に関連付けられた持遊技媒体口座の残高について、貯遊技媒体口座の残高への移行を求める移行要求を受け付け、所定の記憶媒体に複数の遊技種の持遊技媒体口座が関連付けられている場合に、複数の遊技種の持遊技媒体口座の残高を各々対応する遊技種の貯遊技媒体口座の残高に加算して残高の移行処理を行なうよう構成したので、複数の遊技種の持玉を貯玉に移行する処理を効率的に実行することができる。
【図面の簡単な説明】
【００２１】
【図１】図１は、実施例にかかる持玉から貯玉への移行について説明するための説明図である。
【図２】図２は、実施例に係る遊技システムのシステム構成を示す図である。
【図３】図３は、図２に示した台間カード処理機の外観構成を示す図である。
【図４】図４は、図２に示した台間カード処理機の内部構成を示すブロック図である。
【図５】図５は、台間カード処理機の記憶部が記憶するデータを説明するための説明図である。
【図６】図６は、図２に示したカード管理装置の内部構成を示すブロック図である。
【図７】図７は、カード管理装置の記憶部が記憶するデータを説明するための説明図である。
【図８】図８は、図２に示した会員管理装置の内部構成を示すブロック図である。
【図９】図９は、会員管理装置の記憶部が記憶するデータを説明するための説明図である。
【図１０】図１０は、台間カード処理機にカードを挿入した場合の動作を説明するための説明図である。
【図１１】図１１は、貯玉移行が正常終了した場合の動作について説明する説明図である。
【図１２】図１２は、貯玉移行が貯玉エラーにより失敗した場合の動作について説明する説明図である。
【図１３】図１３は、貯玉移行が通信エラーにより失敗した場合の動作について説明する説明図である。
【図１４】図１４は、台間カード処理機による貯玉移行にかかる処理動作を説明するためのフローチャートである。
【図１５】図１５は、カード管理装置による貯玉移行にかかる処理動作を説明するためのフローチャートである。
【発明を実施するための形態】
【００２２】
以下に、添付図面を参照して、本発明に係る遊技媒体口座管理システム及び遊技媒体口座管理方法の好適な実施例を詳細に説明する。
【００２３】
本明細書中にあって持玉とは、遊技客が遊技において獲得した遊技媒体または当該遊技媒体数を示すデータであって、所定の期限内（例えば、当日中の閉店より前の時間）のみ遊技に再度供することができるものを言う。貯玉とは、遊技客が遊技において獲得した遊技媒体また当該遊技媒体数を示すデータであって、所定の期限を越えて（例えば翌日以降）も遊技に再度供することができるものを言う。持玉は、一般遊技客および会員遊技客の双方が使用可能であり、遊技台を移動した場合等に使用する。貯玉は通常、会員遊技客のみが使用可能であり、獲得した遊技媒体を翌日以降の遊技に用いる場合に使用する。貯玉の使用には所定の手数料を課してもよい。また、持玉を当日貯玉と呼んでもよい。
【００２４】
なお、遊技媒体には、パチンコ玉等の遊技玉の他、メダル等も含む。本明細書中では、説明を簡明にするため、遊技媒体がメダル等であっても持玉、貯玉と称することとする。
【実施例】
【００２５】
まず、本実施例にかかる持玉から貯玉への移行について説明する。図１は、本実施例にかかる持玉から貯玉への移行について説明するための説明図である。図１に示すように、台間カード処理機１０は、レート１〜３の３つのレートについて持玉を管理している。具体的には、レート１の持玉数が１０００玉であり、レート２の持玉数が５００玉であり、レート３の持玉数が７００玉である。
【００２６】
台間カード処理機１０は、遊技客から持玉を貯玉に移行するための貯玉移行操作を受け付けた場合には、各レートの持玉数を含む貯玉移行要求をカード管理装置４０に送信する。カード管理装置４０は、受信した貯玉移行要求を処理メモリに格納し、レート１の持玉数を貯玉に移行させるレート１移行処理、レート２の持玉数を貯玉に移行させるレート２移行処理、レート３の持玉数を貯玉に移行させるレート３移行処理を順次会員管理装置５０に対して行なう。
【００２７】
会員管理装置５０は、レート１移行処理を受け付けた場合にレート１の貯玉口座の残高を加算し、レート２移行処理を受け付けた場合にレート２の貯玉口座の残高を加算し、レート３移行処理を受け付けた場合にレート３の貯玉口座の残高を加算する。この結果、レート１の貯玉口座の残高は１０００玉加算され、レート２の貯玉口座の残高は５００玉加算され、レート３の貯玉口座の残高は７００玉加算されることとなる。
【００２８】
このように、複数レートの持玉がある場合に、貯玉口座を管理する会員管理装置５０に対して各レートの持玉数を対応する貯玉口座の残高に加算する処理を順次行なうことで、持玉を貯玉に移行する処理を一括して実行することができる。
【００２９】
次に、本実施例に係る遊技システムのシステム構成について説明する。図２は、本実施例に係る遊技システムのシステム構成を示す図である。同図に示すように、この遊技システムは、１玉４円で貸し出された遊技玉を使用する遊技機２０ａを複数配置した４円パチンコ区画と、１玉２円で貸し出された遊技玉を使用する遊技機２０ｂを複数配置した２円パチンコ区画と、１玉１円で貸し出された遊技玉を使用する遊技機２０ｃを複数配置した１円パチンコ区画とを有する。
【００３０】
複数の遊技機２０ａには、それぞれ台間カード処理機１０ａが対応して設けられている。台間カード処理機１０ａは、１玉４円のレート１に設定されており、遊技機２０ａに対して１玉４円で遊技玉を貸し出す処理を行なう。
【００３１】
また、台間カード処理機１０ａは、カードを挿入された場合に、該カードに関連付けられた各レートの持玉口座の残高をカード管理装置４０から取得して管理する。そして、持玉再プレイ操作を受け付けた場合には、持玉口座のうち自装置に設定されたレート１の残高を減算して対応する数の遊技玉を遊技機２０ａに払い出す。また、台間カード処理機１０ａは、遊技機２０ａから獲得された遊技玉を計数する各台計数機能を有する。計数された遊技玉は、台間カード処理機１０ａに設定されたレート１の持玉数に加算される。また、台間カード処理機１０ａは、カードを排出する場合に、各レートの持玉数をカード管理装置４０に通知し、各レートの持玉数を０にクリアする。なお、持玉再プレイは、設定によっては自装置と異なるレートの持玉を払い出すようにしてもよく、その場合はレートに応じて玉数の換算を行う。レート２の持玉を使用する場合には、レート２の持玉２個につき１個の遊技玉を払い出し、レート３の持玉を使用する場合には、レート３の持玉４個につき１個の遊技玉を払い出すこととなる。
【００３２】
また、台間カード処理機１０ａは、貯玉再プレイ操作を受け付けた場合には、会員管理装置５０が管理する貯玉口座のうち、自装置に設定されたレート１の残高を減算して対応する数の遊技玉を遊技機２０ａに払い出す。
【００３３】
複数の遊技機２０ｂには、それぞれ台間カード処理機１０ｂが対応して設けられている。台間カード処理機１０ｂは、１玉２円のレート２に設定されており、遊技機２０ｂに対して１玉２円で遊技玉を貸し出す処理を行なう。
【００３４】
また、台間カード処理機１０ｂは、カードを挿入された場合に、該カードに関連付けられた各レートの持玉口座の残高をカード管理装置４０から取得して管理する。そして、持玉再プレイ操作を受け付けた場合には、持玉口座のうち自装置に設定されたレート２の残高を減算して対応する数の遊技玉を遊技機２０ｂに払い出す。また、台間カード処理機１０ｂは、遊技機２０ｂから獲得された遊技玉を計数する各台計数機能を有する。計数された遊技玉は、台間カード処理機１０ｂに設定されたレート２の持玉数に加算される。また、台間カード処理機１０ｂは、カードを排出する場合に、各レートの持玉数をカード管理装置４０に通知し、各レートの持玉数を０にクリアする。なお、持玉再プレイは、設定によっては自装置と異なるレートの持玉を払い出すようにしてもよく、その場合はレートに応じて玉数の換算を行う。レート１の持玉を使用する場合には、レート１の持玉１個につき２個の遊技玉を払い出し、レート３の持玉を使用する場合には、レート３の持玉２個につき１個の遊技玉を払い出すこととなる。
【００３５】
また、台間カード処理機１０ｂは、貯玉再プレイ操作を受け付けた場合には、会員管理装置５０が管理する貯玉口座のうち、自装置に設定されたレート２の残高を減算して対応する数の遊技玉を遊技機２０ｂに払い出す。
【００３６】
複数の遊技機２０ｃには、それぞれ台間カード処理機１０ｃが対応して設けられている。台間カード処理機１０ｃは、１玉１円のレート３に設定されており、遊技機２０ｃに対して１玉１円で遊技玉を貸し出す処理を行なう。
【００３７】
また、台間カード処理機１０ｃは、カードを挿入された場合に、該カードに関連付けられた各レートの持玉口座の残高をカード管理装置４０から取得して管理する。そして、持玉再プレイ操作を受け付けた場合には、持玉口座のうち自装置に設定されたレート３の残高を減算して対応する数の遊技玉を遊技機２０ｃに払い出す。また、台間カード処理機１０ｃは、遊技機２０ｃから獲得された遊技玉を計数する各台計数機能を有する。計数された遊技玉は、台間カード処理機１０ｃに設定されたレート３の持玉数に加算される。また、台間カード処理機１０ｃは、カードを排出する場合に、各レートの持玉数をカード管理装置４０に通知し、各レートの持玉数を０にクリアする。なお、持玉再プレイは、設定によっては自装置と異なるレートの持玉を払い出すようにしてもよく、その場合はレートに応じて玉数の換算を行う。レート１の持玉を使用する場合には、レート１の持玉１個につき４個の遊技玉を払い出し、レート２の持玉を使用する場合には、レート２の持玉１個につき２個の遊技玉を払い出すこととなる。
【００３８】
また、台間カード処理機１０ｃは、貯玉再プレイ操作を受け付けた場合には、会員管理装置５０が管理する貯玉口座のうち、自装置に設定されたレート３の残高を減算して対応する数の遊技玉を遊技機２０ｃに払い出す。
【００３９】
台間カード処理機１０ａ〜１０ｃは、通信回線を介してカード管理装置４０、会員管理装置５０及び景品管理装置６０と接続されている。台間カード処理機１０ａ〜１０ｃは、カード管理装置４０とは直接通信を行なうが、その他の装置との通信はカード管理装置４０経由で行なう。なお、以降の説明では台間カード処理機１０ａ〜１０ｃを台間カード処理機１０と総称する。
【００４０】
カード管理装置４０は、カードの管理を行なう装置である。カード管理装置４０は、カードＩＤにプリペイド価値及び各レートの持玉口座を対応づけたカード管理データによりカードを管理する。
【００４１】
カード管理装置４０は、台間カード処理機１０からカードＩＤを含むカード挿入通知を受信した場合には、該カードＩＤに関連付けられたプリペイド価値と、各レートの持玉口座の残高とを通知し、該カードＩＤに関連付けられた各レートの持玉口座を０にする。かかる処理により、カード挿入後の持玉口座残高は、台間カード処理機１０が行なうこととなる。なお、ここではカード管理装置４０が、カード挿入通知に対する応答時に持玉口座を０にする場合を示したが、台間カード処理機１０がカードの挿入通知後にカード管理装置４０に対して持玉減算要求を送信し、カード管理装置４０は持玉減算要求の受信時に持玉口座を０にするよう構成してもよい。
【００４２】
また、カード管理装置４０は、台間カード処理機１０からカードＩＤを含む玉貸要求を受信した場合に、該カードＩＤに関連付けられたプリペイド価値を減算し、玉貸要求の送信元である台間カード処理機１０に玉貸許可を送信する。
【００４３】
また、カード管理装置４０は、台間カード処理機１０からカードＩＤと各レートの持玉数を含むカード排出通知を受信した場合には、該カードＩＤに関連付けられた各レートの持玉口座の残高を受信した持玉数に書き換えてカード管理データを更新する。なお、台間カード処理機１０が、カード返却操作を受け付けた場合に、持玉登録要求信号をカード管理装置４０に送信することで、カード管理装置４０に持玉の登録を完了させてから、カード返却通知を送信するよう構成してもよい。
【００４４】
また、カード管理装置４０は、景品管理装置６０からカードＩＤを受信したならば、このカードＩＤに対応づけられた各レートの持玉口座の残高を景品管理装置６０に対して通知する。
【００４５】
会員管理装置５０は、遊技店に会員登録された会員に関する情報を会員管理データにより管理する装置である。会員管理データは、会員に対して発行した会員カードのカードＩＤに関連づけて、氏名、各レートの貯玉口座残高、ポイント、来店回数、遊技履歴、暗証番号等を関連付けたデータである。
【００４６】
会員管理装置５０は、カード管理装置４０が台間カード処理機１０から会員カードのカードＩＤを含むカード挿入通知を受信した場合に、該カードＩＤに対応付けられた各レートの貯玉口座の残高をカード管理装置４０経由で台間カード処理機１０に通知する。また、会員管理装置５０は、台間カード処理機１０が貯玉再プレイ要求を行なった場合には、台間カード処理機１０に設定されたレートの貯玉口座の残高を減算して再プレイ許可を送信する。また、会員管理装置５０は、景品管理装置６０からカードＩＤを受信したならば、このカードＩＤに対応づけられた各レートの貯玉口座の残高を景品管理装置６０に対して通知する。
【００４７】
景品管理装置６０は、遊技店内の景品交換カウンタに併設された景品交換用の端末装置であり、貯玉及び持玉の景品交換処理を行なう。景品管理装置６０には、カードからカードＩＤを読み取るリーダライタ並びに景品を払い出す景品払出装置が接続されている。景品管理装置６０は、リーダライタがカードを受け付けた場合には、リーダライタで読み出したカードのカードＩＤをカード管理装置４０及び会員管理装置５０に送信して、該カードＩＤに対応付けられた持玉口座及び貯玉口座の残高を取得する。
【００４８】
次に、図２に示した台間カード処理機１０の外観構成について説明する。図３は、図２に示した台間カード処理機１０の外観構成を示す図である。なお、図３には、台間カード処理機１０に併設される遊技機を破線で図示している。また、図３では、紙幣のみを受け付ける台間カード処理機１０を図示したが、硬貨受付用のユニットを設けることもできる。
【００４９】
図３に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機に投出するノズルユニット１８ａと、遊技機の下皿から落下させた遊技玉を計数する計数ユニット１８ｂとを有する。
【００５０】
次に、図２に示した台間カード処理機１０の内部構成について説明する。図４は、図２に示した台間カード処理機１０の内部構成を示すブロック図である。図４に示すように、台間カード処理機１０は、紙幣搬送部１２と、表示操作部１３と、リーダライタ１４と、かざし部１４ｂと、通信部１５と、記憶部１６と、制御部１７とを有する。また、台間カード処理機１０は、ノズルユニット１８ａ及び計数ユニット１８ｂと接続している。
【００５１】
紙幣搬送部１２は、紙幣挿入口１２ａから挿入された紙幣の金種及び真偽を判別しつつ図示しない紙幣収納部に搬送する搬送部である。リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、遊技機２０及び通信回線との間のデータ通信を行なうためのインタフェース部である。
【００５２】
記憶部１６は、ハードディスク装置や不揮発性メモリ等からなる記憶デバイスである。記憶部１６は、カードＩＤ１６ａ、有価価値データ１６ｂ、装置ＩＤ１６ｃ、レート設定データ１６ｄ及び処理メモリ１６ｅを記憶する。
【００５３】
カードＩＤ１６ａは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００５４】
有価価値データ１６ｂは、遊技媒体の払い出しを受けるために使用可能な有価価値を示すデータである。この有価価値には、玉貸しに使用可能なプリペイド価値の残高、持玉口座の残高並びに貯玉口座の残高を含む。
【００５５】
装置ＩＤ１６ｃは、台間カード処理機１０を遊技店内で一意に識別するための識別情報である。レート設定データ１６ｄは、台間カード処理機１０に設定されたレートを示すデータであり、レート１〜３のいずれかである。処理メモリ１６ｅは、台間カード処理機１０が行った処理の履歴を示すデータである。
【００５６】
制御部１７は、台間カード処理機１０を全体制御する制御部であり、データ管理部１７ａ、紙幣処理部１７ｂ、カード処理部１７ｃ、貯玉移行処理部１７ｄ及びメモリ管理部１７ｅを有する。
【００５７】
データ管理部１７ａは、カードが挿入された場合に、カードＩＤ１６ａ及び装置ＩＤ１６ｃを含むカード挿入通知をカード管理装置４０に送信する。また、データ管理部１７ａは、カード管理装置４０から有価価値（プリペイド価値、持玉及び貯玉の少なくともいずれか）を受信した場合に、受信した有価価値により有価価値データ１６ｂを更新する。データ管理部１７ａは、有価価値データ１６ｂに示されたプリペイド価値、持玉及び貯玉の値を適宜表示操作部１３に表示制御する。
【００５８】
また、データ管理部１７ａは、遊技客により玉貸し操作が行なわれた場合に、カードＩＤ１６ａ及び装置ＩＤ１６ｃを含む玉貸要求をカード管理装置４０に送信する。この玉貸要求への応答として玉貸許可を受信したならば、データ管理部１７ａは、所定数の遊技玉を払い出す。
【００５９】
また、データ管理部１７ａは、遊技客により持玉再プレイ操作が行なわれた場合に、有価価値データ１６ｂに示された各レートの持玉口座のうち、レート設定データ１６ｄに対応するレートの持玉口座の残高を所定数減算し、対応する数の遊技玉を払い出す。
【００６０】
また、データ管理部１７ａは、遊技客により貯玉再プレイ操作が行なわれた場合に、カードＩＤ１６ａ及び装置ＩＤ１６ｃを含む貯玉再プレイ要求をカード管理装置４０に送信する。この貯玉再プレイ要求への応答として貯玉再プレイ許可を受信したならば、データ管理部１７ａは、所定数の遊技玉を払い出す。
【００６１】
また、データ管理部１７ａは、遊技客によりカード返却操作が行なわれた場合に、カードＩＤ１６ａ、装置ＩＤ１６ｃ並びに各レートの持玉数を含むカード排出通知をカード管理装置４０に送信し、各レートの持玉口座の残高を０にクリアする。
【００６２】
また、データ管理部１７ａは、紙幣挿入口１２ａに紙幣が挿入されると、挿入された紙幣の金額、カードＩＤ１６ａ及び装置ＩＤ１６ｃを含む入金通知をカード管理装置４０に送信する。
【００６３】
紙幣処理部１７ｂは、紙幣挿入口１２ａから受け付けた紙幣を搬送制御しつつ該紙幣の金種識別及び真偽識別を行った後に、該紙幣を図示しない紙幣収納部に収納する処理部である。紙幣処理部１７ｂは、紙幣の金種識別により特定された金額をデータ管理部１７ａに通知し、入金通知を行なわせる。
【００６４】
カード処理部１７ｃは、カード挿入口１４ａからカードを受け付けたならば、リーダライタ１４によりカードＩＤを読み取らせ、カードＩＤ１６ａとして記憶部１６に格納し、データ管理部１７ａにカード挿入通知を行なわせる。また、カード処理部１７ｃは、カード返却操作を受け付けたならば、データ管理部１７ａにカード排出通知を行なわせ、カード挿入口１４ａからカードを返却する。
【００６５】
貯玉移行処理部１７ｄは、遊技客から持玉を貯玉に移行するための貯玉移行操作を受け付けた場合に、有価価値データ１６ｂに示された各レートの持玉口座の残高と、カードＩＤ１６ａと、装置ＩＤ１６ｃとを含む貯玉移行要求をカード管理装置４０に送信する。貯玉移行要求は、メモリ管理部１７ｅにより処理メモリ１６ｅに格納される。貯玉移行処理部１７ｄは、貯玉移行要求の送信時に各レートの持玉口座の残高をゼロにクリアする。
【００６６】
なお、挿入されているカードが会員に対して発行される会員カードであれば、カードＩＤにより移行先の貯玉口座が特定可能であるが、挿入されているカードが非会員でも使用可能な一般カードであれば、移行先の貯玉口座を特定するために会員を識別するための情報が必要である。この会員を識別するための情報としては、携帯端末のＩＤｍを使用可能である。携帯端末のＩＤｍを使用する場合には、かざし部１４ｂから読み取ったＩＤｍを貯玉移行要求に含めることとなる。なお、携帯端末での貯玉には、ＩＤｍそのものを使うのではなく、事前にＩＤｍにより会員カードＩＤを問い合わせ、応答で得た会員カードＩＤを利用して行なうようにしてもよい。
【００６７】
貯玉移行処理部１７ｄは、貯玉移行要求に対し、正常終了の通知をカード管理装置４０から受信した場合には、貯玉成功を報知する。また、貯玉移行要求に対し、貯玉エラーの通知をカード管理装置４０から受信した場合には、エラーとなったレートの持玉口座の残高を処理メモリ１６ｅから復元し、貯玉失敗を報知する。また、貯玉移行要求に対し、通信エラーの通知をカード管理装置４０から受信した場合には、自装置のレート設定データ１６ｄに示されたレートの持玉口座の残高を含むエラーログを生成し、貯玉失敗を報知する。このように、自装置のレート設定データ１６ｄに示されたレートの持玉口座の残高をエラーログに含めるのは、台間カード処理機１０が持玉口座の残高を増減するのは、レート設定データ１６ｄに示されたレートの持玉口座に対してのみであり、かかる口座の最新の残高を管理するのが自装置であるためである。なお、通信エラーの検知は、上位の装置（カード管理装置４０等）から通知される場合に限らず、台間カード処理機１０で検知し、通信エラーが発生したと判定してもよい。上位の装置が故障した、或いは上位の装置との通信回線に異常が発生した場合には、応答が帰らないためである。
【００６８】
メモリ管理部１７ｅは、上述した貯玉移行要求とエラーログとを含め、台間カード処理機１０による各種処理について、その履歴を時刻情報とともに処理メモリ１６ｅに格納する処理部である。
【００６９】
次に、台間カード処理機１０の記憶部１６が記憶するデータの具体例について説明する。図５は、台間カード処理機１０の記憶部１６が記憶するデータを説明するための説明図である。
【００７０】
図５（ａ）に示すカードＩＤ１６ａは、台間カード処理機１０に挿入されたカードのＩＤが「１００１」であることを示している。なお、ここでは、カードＩＤの上１桁がカードの種別を示しており、上１桁が「１」のカードが一般カード、上１桁が「２」のカードが会員カードである。
【００７１】
図５（ｂ）に示す有価価値データ１６ｂは、プリペイド価値が「３０度数」、レート１の持玉口座の残高が「１０００玉」、レート２の持玉口座の残高が「５００玉」、レート３の持玉口座の残高が「７００玉」である状態を示している。なお、ここではプリペイド価値の度数は１度数が１００円相当である。
【００７２】
図５（ｃ）に示す装置ＩＤ１６ｃは、台間カード処理機１０のＩＤが「５００６」である状態を示している。また、図５（ｄ）に示すレート設定データ１６ｄは、台間カード処理機１０に「レート１」が設定された状態を示している。
【００７３】
図５（ｅ）に示す処理メモリ１６ｅは、時刻「１６時１５分００秒」に貯玉移行要求を送信したことを示している。また、貯玉移行要求には、台間カード処理機１０の装置ＩＤ「５００６」、カードＩＤ「１００１」、かざし部１４ｂにより読み取ったＩＤｍ「ＩＤｍＸ１」、各レートの持玉口座残高（レート１＝１０００、レート２＝５００、レート３＝７００）が含まれている。
【００７４】
つぎに、図２に示したカード管理装置４０の内部構成について説明する。図６は、図２に示したカード管理装置４０の内部構成を示すブロック図である。図６に示すように、カード管理装置４０は、表示部４１及び入力部４２と接続され、店舗ネットワーク通信部４４、記憶部４５及び制御部４６を有する。
【００７５】
表示部４１は、液晶パネルやディスプレイ装置等である。入力部４２は、キーボードやマウス等である。店舗ネットワーク通信部４４は、通信回線を介して台間カード処理機１０、会員管理装置５０、景品管理装置６０等とデータ通信するためのインタフェース部である。
【００７６】
記憶部４５は、ハードディスク装置や不揮発性メモリ等の記憶デバイスであり、カード管理データ４５ａ及び処理メモリ４５ｂを記憶する。
【００７７】
カード管理データ４５ａは、カードＩＤに対し、プリペイド価値の残高と、各レートの持玉口座の残高と、該カードが挿入されている台間カード処理機のＩＤを示す使用先ＩＤとを対応付けたデータである。処理メモリ４５ｂは、カード管理装置４０が行った処理の履歴を示すデータである。
【００７８】
制御部４６は、カード管理装置４０を全体制御する制御部であり、カード管理部４６ａ、貯玉移行要求受付部４６ｂ及び貯玉移行処理部４６ｃを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４６ａ、貯玉移行要求受付部４６ｂ及び貯玉移行処理部４６ｃにそれぞれ対応するプロセスを実行させることになる。
【００７９】
カード管理部４６ａは、カード管理データ４５ａの管理を行なう処理部である。具体的には、カード管理部４６ａは、台間カード処理機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられた有価価値を台間カード処理機１０に通知する。ここで、有価価値のうち、プリペイド価値と各レートの持玉口座の残高については、カード管理データ４５ａから読みだす。また、挿入されたカードが会員カードである場合には、会員管理装置５０に対してカードＩＤを通知し、該カードＩＤに関連付けられた各レートの貯玉口座の残高を取得する。カード管理部４６ａは、カードＩＤに関連付けられた有価価値を台間カード処理機１０に通知した場合に、通知した各レートの持玉口座の残高をゼロにクリアしてカード管理データ４５ａを更新する。
【００８０】
また、カード管理部４６ａは、台間カード処理機１０からカードＩＤを含む玉貸要求を受信した場合に、該カードＩＤに関連付けられたプリペイド価値が所定値以上であるか否かを判定する。プリペイド価値が所定値以上である場合には、カード管理部４６ａは、プリペイド価値を所定値減算してカード管理データ４５ａを更新し、台間カード処理機１０に更新後のプリペイド価値を含む玉貸許可を送信する。一方、プリペイド価値が所定値未満である場合には、カード管理部４６ａは、台間カード処理機１０に玉貸不可を通知する。
【００８１】
また、カード管理部４６ａは、台間カード処理機１０から金額、カードＩＤ１６ａ及び装置ＩＤ１６ｃを含む入金通知を受信した場合に、該カードＩＤ関連付けられたプリペイド価値を入金通知に示された金額に対応する度数分加算して、カード管理データ４５ａを更新する。
【００８２】
また、カード管理部４６ａは、台間カード処理機１０から貯玉再プレイ要求を受信した場合には、該貯玉再プレイ要求を会員管理装置５０に転送する。また、貯玉再プレイ要求に対する会員管理装置５０からの応答についても、カード管理部４６ａが転送制御をおこなう。
【００８３】
また、カード管理部４６ａは、カード排出通知を受信した場合には、カード排出通知に示されたカードＩＤ並びに各レートの持玉口座の残高に基づいて、カード管理データ４５ａの持玉口座の残高を更新する。また、該カードＩＤの使用先については、値を消去して更新する。
【００８４】
また、カード管理部４６ａは、景品管理装置６０からカードＩＤを受信したならば、このカードＩＤに対応づけられた各レートの持玉口座の残高を景品管理装置６０に対して通知する。
【００８５】
貯玉移行要求受付部４６ｂは、台間カード処理機１０から受信した貯玉移行要求を処理メモリ４５ｂに格納し、貯玉移行要求の受信を貯玉移行処理部４６ｃに通知して、貯玉移行処理を行わせる処理部である。貯玉移行処理には、遊技客自身による移行操作によるものと、遊技客自身は操作を行わない自動移行処理の２つがある。自動移行処理の例としては、会員カードに持玉が関連付けられている場合に閉店処理を行なう、或いは日付が変わるなどすると、当該持玉を貯玉へ自動で移行するものである。また、４円レートの持玉が関連付けられた会員カードを１円レートの台間カード処理機に挿入した場合に、４円レートの持玉を貯玉移行する場合もある。
【００８６】
貯玉移行処理部４６ｃは、貯玉移行要求の受信通知を受けた場合に、処理メモリ４５ｂから貯玉移行要求を読み出し、１レート分ずつ貯玉移行処理を実行する。そして、貯玉移行処理の実行結果を台間カード処理機１０に通知する。
【００８７】
次に、カード管理装置４０の記憶部４５が記憶するデータの具体例について説明する。図７は、カード管理装置４０の記憶部４５が記憶するデータを説明するための説明図である。
【００８８】
図７（ａ）に示すカード管理データ４５ａでは、カードＩＤ「１００１」にプリペイド価値「３０度数」、各レートの持玉口座の残高「０」、使用先ＩＤ「５００６」が関連付けられている。すなわち、カードＩＤ「１００１」のカードは、装置ＩＤ「５００６」の台間カード処理機１０に挿入されており、持玉については台間カード処理機１０に管理が移っている。このため、各レートの持玉口座の残高「０」はゼロである。
【００８９】
また、図７（ａ）に示すカード管理データ４５ａでは、カードＩＤ「２００２」にプリペイド価値「２０度数」と、レート１の持玉口座の残高「０」と、レート２の持玉口座の残高「１２００」と、レート３の持玉口座の残高「０」とが関連付けられている。すなわち、カードＩＤ「２００１」のカードは、台間カード処理機１０に挿入されておらず、持玉の管理がカード管理装置４０により行われている。
【００９０】
図７（ｂ）に示す処理メモリ４５ｂは、時刻「１６時１５分００秒」に貯玉移行要求を受信したことを示している。この貯玉移行要求には、装置ＩＤ「５００６」、カードＩＤ「１００１」、ＩＤｍ「ＩＤｍＸ１」、各レートの持玉口座残高（レート１＝１０００、レート２＝５００、レート３＝７００）が含まれている。
【００９１】
また、図７（ｂ）に示す処理メモリ４５ｂは、時刻「１６時１５分０１秒」に会員管理装置５０に対して貯玉加算要求を送信したことを示している。この貯玉加算要求は、貯玉移行要求のうち、レート１の持玉を貯玉に移行させる要求であり、移行先の口座と玉数を特定するため、「ＩＤｍＸ１；レート１＝１０００」を含む。これは、ＩＤｍＸ１に関連付けられた会員のレート１の貯玉口座に１０００玉を加算する要求であることを示す。
【００９２】
また、図７（ｂ）に示す処理メモリ４５ｂは、時刻「１６時１５分０２秒」に会員管理装置５０から貯玉加算完了を受信したことを示している。具体的には、貯玉加算完了には、「ＩＤｍＸ１；レート１＝１０００」を含む。これは、ＩＤｍＸ１に関連付けられた会員のレート１の貯玉口座に１０００玉を加算したことを示す。この加算により、レート１の貯玉移行処理が完了する。
【００９３】
また、図７（ｂ）に示す処理メモリ４５ｂは、時刻「１６時１５分０３秒」に会員管理装置５０に対して貯玉加算要求を送信したことを示している。この貯玉加算要求は、貯玉移行要求のうち、レート２の持玉を貯玉に移行させる要求であり、移行先の口座と玉数を特定するため、「ＩＤｍＸ１；レート２＝５００」を含む。これは、ＩＤｍＸ１に関連付けられた会員のレート５の貯玉口座に５００玉を加算する要求であることを示す。
【００９４】
つぎに、図２に示した会員管理装置５０の内部構成について説明する。図８は、図２に示した会員管理装置５０の内部構成を示すブロック図である。図８に示すように、会員管理装置５０は、表示部５１及び入力部５２と接続され、店舗ネットワーク通信部５４、記憶部５５及び制御部５６を有する。
【００９５】
表示部５１は、液晶パネルやディスプレイ装置等である。入力部５２は、キーボードやマウス等である。店舗ネットワーク通信部５４は、通信回線を介して台間カード処理機１０、カード管理装置４０、景品管理装置６０等とデータ通信するためのインタフェース部である。
【００９６】
記憶部５５は、ハードディスク装置や不揮発性メモリ等の記憶デバイスであり、会員管理データ５５ａ及び景品管理データ５５ｂを記憶する。
【００９７】
会員管理データ５５ａは、会員に対して発行した会員カードのカードＩＤに対し、氏名、各レートの貯玉口座残高、ポイント、来店回数、遊技履歴、暗証番号等を関連付けたデータである。景品管理データ５５ｂは、遊技店が提供する景品の種類や在庫を示すデータである。
【００９８】
制御部５６は、会員管理装置５０を全体制御する制御部であり、会員管理部５６ａ及び景品管理部５６ｂを有する。実際には、これらの機能部に対応するプログラムを図示しないＲＯＭや不揮発性メモリに記憶しておき、これらのプログラムをＣＰＵ（Central Processing Unit）にロードして実行することにより、会員管理部５６ａ及び景品管理部５６ｂにそれぞれ対応するプロセスを実行させることになる。
【００９９】
会員管理部５６ａは、会員管理データ５５ａの管理を行なう処理部である。具体的には、会員管理部５６ａは、台間カード処理機１０から会員を特定可能な情報（会員カードのＩＤやＩＤｍ）を受信した場合には、該会員に関連付けられた各レートの貯玉口座の残高を会員管理データ５５ａから読み出して台間カード処理機１０に通知する。同様に、景品管理装置６０から会員を特定可能な情報（会員カードのＩＤやＩＤｍ）を受信した場合には、該会員に関連付けられた各レートの貯玉口座の残高を会員管理データ５５ａから読み出して景品管理装置６０に通知する。
【０１００】
また、会員管理部５６ａは、台間カード処理機１０から貯玉再プレイ要求を受信した場合には、該貯玉再プレイ要求に示された情報（レート設定データ、カードＩＤ、ＩＤｍ等）により貯玉再プレイに使用する貯玉口座を特定し、該口座の残高が所定数以上であるか否かを判定する。口座の残高が所定数以上である場合には、会員管理部５６ａは、残高から所定数を減算して会員管理データ５５ａを更新し、更新後の残高を含む貯玉再プレイ許可を台間カード処理機１０に送信する。
【０１０１】
また、会員管理部５６ａは、カード管理装置４０から貯玉加算要求を受信した場合には、該貯玉加算要求に示された情報（レート、カードＩＤ、ＩＤｍ等）により加算対象となる貯玉口座を特定し、該口座の残高を指定された数だけ加算する。
【０１０２】
この加算処理が正常に終了したならば、会員管理部５６ａは、カード管理装置４０に対して正常終了を通知する。また、加算により貯玉口座の残高が上限を超えるなど、貯玉の加算を行なうことができず、貯玉の加算に失敗した場合には、会員管理部５６ａは、カード管理装置４０に対して貯玉失敗を通知する。
【０１０３】
景品管理部５６ｂは、遊技店が提供する景品の種類や在庫を管理する処理部である。景品管理部５６ｂは、景品の交換や入荷などにより景品の種類や在庫が変動した場合に、景品管理データ５６ｂを更新する。
【０１０４】
次に、会員管理装置５０の記憶部５５が記憶するデータの具体例について説明する。図９は、会員管理装置５０の記憶部５５が記憶するデータを説明するための説明図である。図９（ａ）に示す会員管理データ５５ａは、カードＩＤ「２００９」に対して、氏名「Ｂ  Ｃ」と、各レートの貯玉口座残高と、携帯端末のＩＤｍ「ＩＤｍＸ１」とを関連付けている。なお、各レートの貯玉口座残高が「０」の状態を示している。また、図示は省略したが会員管理データ５５ａは、ポイント、来店回数、遊技履歴、暗証番号、住所、連絡先等をカードＩＤに関連付けることができる。
【０１０５】
図９（ｂ）に示す景品管理データ４５ｃは、景品コード「０００１」に対して、景品名「大景品」及び在庫数「１０００」等を対応付けた状態を示している。
【０１０６】
次に、台間カード処理機１０にカードを挿入した場合の動作について説明する。図１０は、台間カード処理機１０にカードを挿入した場合の動作を説明するための説明図である。図１０に示すように、台間カード処理機１０にカードを挿入すると（１）、台間カード処理機１０は、挿入されたカードのカードＩＤと自装置の装置ＩＤとを含むカード挿入通知をカード管理装置４０に送信する（２）。
【０１０７】
カード管理装置４０は、受信したカード挿入通知に基づいて、カード管理データ４５ａを更新する（３）。具体的には、受信したカード挿入通知に示されたカードＩＤ「１００１」に関連付けられた使用先ＩＤを、台間カード処理機１０の装置ＩＤ「５００６」とする。また、各レートの持玉口座残高については、有価価値の通知を行なうために処理メモリに退避させたうえで「０」に更新する。
【０１０８】
カード管理装置４０は、台間カード処理機４０に対して、有価価値の通知を行なう（４）。具体的には、プリペイド価値「３０」と、持玉レート１「１０００」と、持玉レート２「５００」と、持玉レート３「７００」とを通知する。台間カード処理機１０は、通知された有価価値により、有価価値データ１６ｂを更新する（５）。なお、ここではカードが一般カードである場合を想定し、貯玉口座の残高は有価価値に含まれていないが、挿入されたカードが会員カードであったならば、カード管理装置４０は会員カードのカードＩＤを会員管理装置５０に通知して各レートの貯玉口座の残高を取得し、台間カード処理機１０に通知する有価価値に各レートの貯玉口座の残高を含める。
【０１０９】
次に、貯玉移行にかかる処理について説明する。図１１は、貯玉移行が正常終了した場合の動作について説明する説明図である。図１１に示すように台間カード処理機１０は、貯玉移行操作を受け付けると、各レートの持玉口座の残高を用いて持玉移行要求を生成し、処理メモリ１６ｅに格納し、有価価値データ１６ｂの持玉口座残高をゼロにクリアする（１）。このため、処理メモリ１６ｅには、レート１の持玉口座残高「１０００」と、レート２の持玉口座残高「５００」と、レート３の持玉口座残高「７００」とが格納される。
【０１１０】
台間カード処理機１０がカード管理装置４０に貯玉移行要求を送信すると（２）、カード管理装置４０は、受信した貯玉移行要求を処理メモリ４５ｂに格納し、レート毎に会員管理装置５０に対して貯玉加算処理を行なう。
【０１１１】
具体的には、カード管理装置４０は、レート１の貯玉加算処理を会員管理装置５０に対して送信し（３ａ）、会員管理装置５０は、レート１の貯玉口座残高を「１０００」加算して、レート１貯玉加算完了を通知する。つづいて、カード管理装置４０は、レート２の貯玉加算処理を会員管理装置５０に対して送信し（３ｂ）、会員管理装置５０は、レート２の貯玉口座残高を「５００」加算して、レート２貯玉加算完了を通知する。つづいて、カード管理装置４０は、レート３の貯玉加算処理を会員管理装置５０に対して送信し（３ｃ）、会員管理装置５０は、レート３の貯玉口座残高を「７００」加算して、レート３貯玉加算完了を通知する。カード管理装置４０は、すべてのレートについて加算完了の通知を受信した場合には、台間カード処理機１０に対して正常終了を通知する。
【０１１２】
図１２は、貯玉移行が貯玉エラーにより失敗した場合の動作について説明する説明図である。図１２に示すように台間カード処理機１０は、貯玉移行操作を受け付けると、各レートの持玉口座の残高を用いて持玉移行要求を生成し、処理メモリ１６ｅに格納し、有価価値データ１６ｂの持玉口座残高をゼロにクリアする（１）。このため、処理メモリ１６ｅには、レート１の持玉口座残高「１０００」と、レート２の持玉口座残高「５００」と、レート３の持玉口座残高「７００」とが格納される。
【０１１３】
台間カード処理機１０がカード管理装置４０に貯玉移行要求を送信すると（２）、カード管理装置４０は、受信した貯玉移行要求を処理メモリ４５ｂに格納し、レート毎に会員管理装置５０に対して貯玉加算処理を行なう。
【０１１４】
具体的には、カード管理装置４０は、レート１の貯玉加算処理を会員管理装置５０に対して送信し（３ａ）、会員管理装置５０は、レート１の貯玉口座残高を「１０００」加算して、レート１貯玉加算完了を通知する。つづいて、カード管理装置４０は、レート２の貯玉加算処理を会員管理装置５０に対して送信する（３ｂ）。
【０１１５】
このレート２の貯玉加算処理が失敗すると、会員管理装置５０は、レート２の貯玉失敗をカード管理装置４０に通知する。カード管理装置４０は、貯玉失敗の通知を受信すると、以降のレートについては貯玉加算処理を実施せず、失敗及び未実施のレート情報を含む貯玉エラーを台間カード処理機１０に通知する（４）。図１２では、レート２及びレート３の貯玉エラーが台間カード処理機１０に通知される。この結果、会員管理装置５０では、レート２及びレート３の貯玉口座残高は加算されない。なお、レート２及びレート３の両方を貯玉エラーにするのではなく、レート２のみ貯玉エラーと通知し、レート３は未実施として通知してもよい。これにより、台間カード処理機１０のエラー表示は「レート２」の貯玉エラーとなる。貯玉失敗の具体例について説明すると、例えば、第三者管理センタで貯玉を管理している場合、個人の貯玉上限が設定されている。そこで、今回の貯玉への加算処理でその上限を超える場合には貯玉をさせないようにする。すなわち、貯玉上限数が２５万玉とした場合、２４万玉を貯玉している遊技客がさらに２万玉を貯玉するときに、その２万玉を加算すると２６万玉になり上限値を超えてしまうので、貯玉への移行処理は行なわず、貯玉失敗とする。
【０１１６】
台間カード処理機１０は、貯玉エラーを受信した場合には、貯玉エラーにより示されたレートの持玉を処理メモリ１６ｅから復元し、有価価値データ１６ｂを更新する（５）。図１２では、レート２及びレート３について貯玉エラーを受信しているので、レート１の持玉口座残高は「０」、レート２の持玉口座残高は「５００」、レート３の持玉口座残高は「７００」となる。
【０１１７】
このように、貯玉エラーが発生し、持玉残高を復元した場合には、貯玉への移行は失敗したものの、元々の持玉は失われておらず、カードに関連付けられている。このため、遊技店員による処理は不要であり、カードをそのまま遊技客に返すことができる。
【０１１８】
図１３は、貯玉移行が通信エラーにより失敗した場合の動作について説明する説明図である。図１３に示すように台間カード処理機１０は、貯玉移行操作を受け付けると、各レートの持玉口座の残高を用いて持玉移行要求を生成し、処理メモリ１６ｅに格納し、有価価値データ１６ｂの持玉口座残高をゼロにクリアする（１）。このため、処理メモリ１６ｅには、レート１の持玉口座残高「１０００」と、レート２の持玉口座残高「５００」と、レート３の持玉口座残高「７００」とが格納される。
【０１１９】
台間カード処理機１０がカード管理装置４０に貯玉移行要求を送信すると（２）、カード管理装置４０は、受信した貯玉移行要求を処理メモリ４５ｂに格納し、レート毎に会員管理装置５０に対して貯玉加算処理を行なう。
【０１２０】
具体的には、カード管理装置４０は、レート１の貯玉加算処理を会員管理装置５０に対して送信し（３ａ）、会員管理装置５０は、レート１の貯玉口座残高を「１０００」加算して、レート１貯玉加算完了を通知する。つづいて、カード管理装置４０は、レート２の貯玉加算処理を会員管理装置５０に対して送信する（３ｂ）。
【０１２１】
このレート２の貯玉加算処理が通信エラーにより失敗すると、カード管理装置４０は、以降のレートについては貯玉加算処理を実施せず、通信エラーの発生を台間カード処理機１０に通知する（４）。
【０１２２】
台間カード処理機１０は、通信エラーの発生を通知されると、自装置のレート設定データ１６ｄに示されたレートの持玉口座の残高を含むエラーログを生成する（５）。レート設定データ１６ｄがレート１を示しているならば、処理メモリ１６ｅに示された各レートの持玉口座残高のうち、レート１の持玉口座残高「１０００」がエラーログに含まれる。なお、レート設定データ１６ｄがレート２を示しているならば、エラーログにはレート２の持玉口座残高「５００」を含め、レート設定データ１６ｄがレート３を示しているならば、エラーログにはレート３の持玉口座残高「７００」を含める。
【０１２３】
このように、レート設定データ１６ｄに対応するレートの持玉口座の残高をエラーログに含めるのは、台間カード処理機１０が持玉口座の残高を増減するのは、レート設定データ１６ｄに示されたレートの持玉口座に対してのみであり、かかる口座の最新の残高を管理するのが自装置であるためである。
【０１２４】
遊技店員は、このエラーログと、各装置の処理メモリから、各レートの持玉口座残高と貯玉口座残高とを適切な値に復元することができる。この場合には、遊技店員による持玉口座残高及び貯玉口座残高が行われた後、遊技客にカードを返すこととなる。
【０１２５】
次に、台間カード処理機１０による貯玉移行にかかる処理動作について説明する。図１４は、台間カード処理機１０による貯玉移行にかかる処理動作を説明するためのフローチャートである。
【０１２６】
台間カード処理機１０の貯玉移行要求部１７ｄは、表示操作部１３に対する貯玉移行操作が行われたか否かを判定し（ステップＳ１０１）、貯玉移行操作が行われていなければ（ステップＳ１０１；Ｎｏ）、そのまま処理を終了する。
【０１２７】
貯玉移行操作が行われたならば（ステップＳ１０１；Ｙｅｓ）、貯玉移行要求部１７は、貯玉移行の対象とするレートの指定が行われたか否かを判定する（ステップＳ１０２）。対象とするレートの選択が行われていなければ（ステップＳ１０２；Ｎｏ）、貯玉移行要求部１７は、すべてのレートを貯玉移行の対象とし（ステップＳ１０４）、対象とするレートの選択が行われたならば（ステップＳ１０２；Ｙｅｓ）、選択されたレートを貯玉移行の対象とする（ステップＳ１０３）。このように、貯玉移行に際しては、選択された一部のレートのみを対象とすることができる。
【０１２８】
ステップＳ１０３又はステップＳ１０４の後、貯玉移行要求部１７は、移行対象のレートの持玉口座残高を処理メモリ１６ｅに格納し（ステップＳ１０５）、移行対象のレートの持玉口座残高をゼロにクリアする（ステップＳ１０６）。そして、カード管理装置４０に貯玉移行要求を送信する（ステップＳ１０７）。
【０１２９】
貯玉移行要求に対し、カード管理装置４０から正常終了の通知を受信したならば（ステップＳ１０８；Ｙｅｓ）、貯玉移行要求部１７は、貯玉成功を報知し（ステップＳ１０９）、処理を終了する。この貯玉成功の報知は、表示操作部１３に対する表示などにより行なう。
【０１３０】
貯玉移行要求に対し、カード管理装置４０から正常終了の通知を受信しなければ（ステップＳ１０８；Ｎｏ）、貯玉移行要求部１７は、通信エラーが発生したか否かを判定する（ステップＳ１１０）。
【０１３１】
通信エラーが発生したならば（ステップＳ１１０；Ｙｅｓ）、貯玉移行要求部１７は、会員管理装置の確認が必要なエラーとし、持ち玉を０とする（ステップＳ１１３）。このとき、自装置のレート設定に対応する持玉数を含むエラーログを生成してもよい。その後、貯玉失敗を報知して（ステップＳ１１２）、処理を終了する。
【０１３２】
また、通信エラーではなく、他の理由により貯玉移行が正常終了しなかったならば（ステップＳ１１０；Ｎｏ）、貯玉移行要求部１７は、貯玉エラーが発生したレートの持玉口座残高を処理メモリ１６ｅから復元し（ステップＳ１１１）、貯玉失敗を報知して（ステップＳ１１２）、処理を終了する。
【０１３３】
ステップＳ１１２の貯玉失敗の報知は、表示操作部１３に対する表示などにより行なう。また、遊技店員用の端末にも報知するよう構成してもよい。また、貯玉失敗時には、失敗の内容や対処方法を報知するように構成してもよい。具体的には、貯玉エラーを報知する場合には、貯玉への移行が成功したレートと、失敗したレートを表示し、貯玉への移行が失敗したレートについては持玉のままとなっていることを報知する。また、通信エラー等により貯玉への移行が失敗した場合には、遊技店員の呼び出しを求める報知を行なう。
【０１３４】
次に、カード管理装置４０による貯玉移行にかかる処理動作について説明する。図１５は、カード管理装置４０による貯玉移行にかかる処理動作を説明するためのフローチャートである。
【０１３５】
カード管理装置４０の貯玉移行要求受付部４６ｂは、台間カード処理機１０から貯玉移行要求を受信したか否かを判定し（ステップＳ２０１）、貯玉移行要求を受信していなければ（ステップＳ２０１；Ｎｏ）、そのまま処理を終了する。
【０１３６】
貯玉移行要求を受信したならば（ステップＳ２０１；Ｙｅｓ）、貯玉移行要求受付部４６ｂは、貯玉移行要求を処理メモリ４５ｂに格納する（ステップＳ２０２）。貯玉移行処理部４６ｃは、格納された貯玉移行要求に基づいて、移行対象かつ未処理のレートを選択し（ステップＳ２０３）、選択したレートの貯玉加算処理を会員管理装置５０に対して行なう（ステップＳ２０４）。
【０１３７】
貯玉移行処理部４６ｃは、会員管理装置５０から貯玉加算完了を受信したか否かを判定し（ステップＳ２０５）、貯玉加算完了を受信したならば（ステップＳ２０５；Ｙｅｓ）、移行対象のレートに未処理のレートが残っているか否かを判定する（ステップＳ２０６）。
【０１３８】
移行対象のレートに未処理のレートが残っているならば（ステップＳ２０６；Ｙｅｓ）、ステップＳ２０３に移行し、移行対象かつ未処理のレートを選択する。そして、移行対象の全てのレートについて処理が完了したならば（ステップＳ２０６；Ｎｏ）、台間カード処理機１０に正常終了を通知して（ステップＳ２０７）、処理を終了する。
【０１３９】
一方、貯玉完了通知を受信せず（ステップＳ２０５；Ｎｏ）、貯玉加算失敗の通知を受信したならば（ステップＳ２０８；Ｙｅｓ）、選択中のレート及び未処理のレートについて貯玉エラーを台間カード処理機１０に通知し（ステップＳ２０９）、処理を終了する。
【０１４０】
また、貯玉加算失敗の通知を受信していなければ（ステップＳ２０８；Ｎｏ）、貯玉移行処理部４６ｃは、通信エラーの発生を台間カード処理機１０に通知し（ステップＳ２１０）、処理を終了する。
【０１４１】
上述してきたように、本実施例では、複数レートの持玉口座を有する状態で台間カード処理機１０が貯玉移行操作を受け付けた場合に、台間カード処理機１０が貯玉に抗すべき各レートの持玉口座残高を含む貯玉移行要求をカード管理装置４０に送信し、カード管理装置４０は、貯玉口座を管理する会員管理装置５０に対し、各レートの持玉口座残高を対応する貯玉口座の残高に加算する処理を順次行なうよう構成したので、複数レートの持玉口座を貯玉口座に移行する処理を効率的に行なうことができる。
【０１４２】
なお、本実施例では、貸し出し時のレートが異なる複数の遊技種について貯玉への移行を行なう場合について説明を行ったが、景品交換時のレートが異なる複数の遊技種や、遊技媒体の種類が異なる複数の遊技種を貯玉に移行する場合にも適用可能である。このため、遊技玉用の持玉口座とメダル用の持玉口座を一括して貯玉口座に移行することもできる。
【０１４３】
また、上述の実施例では、遊技玉を投入して遊技を行い、遊技により獲得した遊技玉が払い出される開放式の遊技機を例に説明を行ったが、遊技玉の取り出しが制限された封入式の遊技機であっても本発明を適用可能である。封入式の遊技機では、玉貸し及び貯玉再プレイを行った場合に、遊技玉を払い出すのではなく、台間カード処理機１０が管理する持玉が加算され、封入式遊技機は、該持玉の範囲内で遊技玉を発射し、遊技により獲得された賞出玉も持玉に加算されることとなる。
【０１４４】
また、上述の実施例では、貯玉移行を行なうときに複数レートをどのような順序で貯玉処理するかについての詳細な説明を省略したが、この順序は任意に設定可能である。具体的には、予め設定された順序（４円、２円、１円の順序等）であってもよいし、台間カード処理機１０に設定されたレートを最初（若しくは最後）にしてもよい。
【０１４５】
また、通信回線に異常があり、上位機種との通信ができない場合、いわゆるオフライン時は、貯玉操作は行わない。この場合には、貯玉操作の受付時にオフラインであるために貯玉不可であることを通知する。
【０１４６】
また、上述の実施例では、貯玉移行の操作時に、移行対象となるレートを選択可能とし、移行対象となるレートについては持玉の全数を貯玉に移行させる場合について説明を行ったが、持玉から貯玉に移行する玉数を指定可能とし、持玉の一部のみを貯玉に移行できるように構成してもよい。
【０１４７】
また、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０１４８】
また、本実施例で図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１４９】
以上のように、本発明に係る遊技媒体口座管理システム及び遊技媒体口座管理方法は、複数の遊技種の持玉を貯玉に移行することに適している。
【符号の説明】
【０１５０】
１０、１０ａ、１０ｂ、１０ｃ  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６、４５、５５  記憶部
１６ａ  カードＩＤ
１６ｂ  有価価値データ
１６ｃ  装置ＩＤ
１６ｄ  レート設定データ
１６ｅ、４５ｂ  処理メモリ
１７、４６、５６  制御部
１７ａ  データ管理部
１７ｂ  紙幣処理部
１７ｃ  カード処理部
１７ｄ  貯玉移行要求部
１７ｅ  メモリ管理部
１８ａ  ノズルユニット
１８ｂ  計数ユニット
２０、２０ａ、２０ｂ、２０ｃ  遊技機
４０  カード管理装置
４１、５１  表示部
４２、５２  入力部
４４、５４  店舗ネットワーク通信部
４５ａ  カード管理データ
４６ａ  カード管理部
４６ｂ  貯玉移行要求受付部
４６ｃ  貯玉移行処理部
５０  会員管理装置
５５ａ  会員管理データ
５５ｂ  景品管理データ
５６ａ  会員管理部
５６ｂ  景品管理部
６０  景品管理装置
【図１】
2014008326.tif 000003
【図２】
2014008326.tif 000004
【図３】
2014008326.tif 000005
【図４】
2014008326.tif 000006
【図５】
2014008326.tif 000007
【図６】
2014008326.tif 000008
【図７】
2014008326.tif 000009
【図８】
2014008326.tif 000010
【図９】
2014008326.tif 000011
【図１０】
2014008326.tif 000012
【図１１】
2014008326.tif 000013
【図１２】
2014008326.tif 000014
【図１３】
2014008326.tif 000015
【図１４】
2014008326.tif 000016
【図１５】
2014008326.tif 000017